(57)【要約】【課題】遊技場内の各遊技機の遊技者が所有する遊技媒体の量を表示装置にて総括的に把握できるようにし、適確なサービスをすると共に、不正行為を早期発見できるようにする。【解決手段】多数の遊技機１を並設して島台２を形成してなる遊技場において、各遊技機に設けられた遊技媒体払出皿３の下部に位置する島台の水平テーブル面５に重量検知手段７を埋設し、該水平テーブル面５上に遊技媒体貯留箱Ａを載置することで前記遊技媒体払出皿３から排出された遊技媒体が該遊技媒体貯留箱Ａに貯留されるようにすると共に、各重量検知手段７の出力を一括表示する表示装置９を遊技場内に設けることにより、各遊技機１の遊技媒体払出状況を該表示装置９にて把握できるようにする。【選択図】図３
2010012118.tif 000002
【特許請求の範囲】
【請求項１】
多数の遊技機を並設して島台を形成してなる遊技場において、各遊技機に設けられた遊技媒体払出皿の下部に位置する島台の水平テーブル面に重量検知手段を埋設し、該水平テーブル面上に遊技媒体貯留箱を載置することで前記遊技媒体払出皿から排出された遊技媒体が該遊技媒体貯留箱に貯留されるようにすると共に、各重量検知手段からの送信出力を一括表示する表示装置を遊技場内に設けることにより、各遊技機の遊技媒体払出状況を該表示装置にて把握できるようにしたことを特徴とする遊技場における遊技媒体払出状況監視装置。
【発明の詳細な説明】
【技術分野】
【０００１】
本発明は、パチンコ遊技場のような遊技場において各遊技機からパチンコ球のような遊技媒体が払い出されている状況を総括的に把握できるようにする遊技媒体払出状況監視装置に関するものである。
【背景技術】
【０００２】
第１種パチンコ遊技機のような近時の遊技機は、例えば大当たりとなったときのように短時間の内に多数の遊技媒体が払い出されることから、遊技者が所有する遊技媒体の量が著しく変化する状況にある。このため、遊技場の店員は、そのような遊技者に対しドル箱と称されるプラスチック製の遊技媒体貯留箱を渡し、遊技機の遊技媒体払出皿から排出された遊技媒体がその遊技媒体貯留箱の中に貯められるようにしている。
また、周知のように近時は遊技場のサービスの一環として、コーヒー等のドリンクを遊技中の遊技者の下までデリバリーすることが一般的になっており、遊技者は所有している遊技媒体のうちの数十個と交換することでこのようなドリンクサービスが受けられるようにしている。
【０００３】
なお、下記特許文献１は、遊技媒体貯留箱に重量計を設けることにより、該貯留箱内のメダルの枚数が液晶表示パネルに表示されるようにしたものであり、下記特許文献２は、同じく貯留箱内のメダルの枚数を重量により計測できるようにしたものであるが、このような装置はパチンコ球を計数する装置に関しても、従来から種々の構造のものが既に知られている。
【特許文献１】特開２００６−１４９４２２号公報
【特許文献２】特開２００４−６５７６４号公報
【発明の開示】
【発明が解決しようとする課題】
【０００４】
ところで、上記のような店員による場内サービスをするにあたっては、各遊技機の遊技媒体払出状況を知れば効率的に行えるものの、従来では店員が各島台をその一端部から見て各遊技機の遊技媒体払出状況を推測するしかなかったので、適確なサービスができないおそれがあった。また、遊技者が何らかの不正な手段によって多数の遊技媒体を得たような場合でも監視の目が十分に行き渡らないおそれがあった。本発明は、このような従来の遊技場の問題点を解消しようとするものである。
【課題を解決するための手段】
【０００５】
そのために、本発明に係る遊技場における遊技媒体払出状況監視装置は、多数の遊技機を並設して島台を形成してなる遊技場において、各遊技機に設けられた遊技媒体払出皿の下部に位置する島台の水平テーブル面に重量検知手段を埋設し、該水平テーブル面上に遊技媒体貯留箱を載置することで前記遊技媒体払出皿から排出された遊技媒体が該遊技媒体貯留箱に貯留されるようにすると共に、各重量検知手段からの送信出力を一括表示する表示装置を遊技場内に設けることにより、各遊技機の遊技媒体払出状況を該表示装置にて把握できるようにしたことを特徴とする。
【発明の効果】
【０００６】
遊技場内の各遊技機の遊技者が所有する遊技媒体の量を表示装置にて総括的に把握できるので、適確なサービスができると共に、不正行為に対しても監視ができるようになる。
【発明を実施するための最良の形態】
【０００７】
次に本発明の実施形態をパチンコ遊技場について図面に従い説明する。図１は多数のパチンコ遊技機１を並設することにより形成された島台２の正面図、図２はそのＡ−Ａ線断面図である。３は該各パチンコ遊技機１の前面に突設された遊技媒体払出皿、３ａは該遊技媒体払出皿の前面に設けられた排出ボタン、４は打球発射用ハンドルである。該島台２には遊技媒体払出皿３の下部に位置するように水平テーブル面５が形成されている。このため、必要に応じて該水平テーブル面上に遊技媒体貯留箱Ａを載置し、排出ボタン３ａを操作することにより該遊技媒体払出皿３の底部に形成された排出口か開口し、該遊技媒体払出皿３に貯留されていた遊技媒体（パチンコ球）を該遊技媒体貯留箱Ａ中に流出させることができる。なお、６は各パチンコ遊技機毎に島台２上部に設けられた台番号表示部である。
【０００８】
該水平テーブル面５には図２に示したように各パチンコ遊技機１毎に重量検知手段７が埋設され、該水平テーブル面５上に載置した遊技媒体貯留箱Ａの重量が該重量検知手段７によって電気信号として出力されるようにしている。そして、図３に示すように、遊技場内に設けられた液晶パネル等の表示装置９に該各重量検知手段７の出力信号線８を配線し、図４の表示例図に示したように、該表示装置９に重量検知手段７の作動状況が各パチンコ遊技機についてその台番号毎に表示されるようにする。なお、この表示例では、重量検知手段７が５ｋｇ以上の重量を感知すると、その台番号を表す数字が二重線で囲われるようにしている。
【０００９】
一方、図５に示した実施形態では、各重量検知手段７から発信された電気信号がインターフェイス１０を介してホールコンピュータ１１に入力されるようにし、該パソコンの表示装置９に該各重量検知手段７により得られた遊技媒体貯留箱Ａに係る情報が台番号毎に表示されるようにしたものであるが、このようにパソコンを利用して各パチンコ遊技機の遊技媒体の払い出し状況を表示することもできる。
【００１０】
なお、図６のブロック図に示したように、前記重量検知手段７は、圧力センサと、その出力により所定の重量以上かどうかを判別する重量比較手段と、その判別結果をホールコンピュータおよび表示制御基板に送信する判別結果送信手段とからなる重量信号制御基板よって構成され、該表示制御基板は前記表示装置９に内蔵されており、該表示制御基板は重量信号制御基板から受信した判別結果を表示信号に信号変換手段により信号変換して表示装置９に送信することで、上記のように表示装置９に各パチンコ遊技機の遊技媒体の払い出し状況が表示されるようにしている。
【００１１】
このように遊技場内に表示装置９を設けることにより、その表示を見れば各遊技者が遊技媒体貯留箱Ａにパチンコ球を有しているかどうかを概略知ることができる。このため、店員がその表示を見て遊技場内を見回るようにすることにより新たに遊技媒体貯留箱Ａが必要となる遊技者に対してタイムリーな提供ができると共に効率的な動きをすることができ、省力化にも役立つ。また、この表示を見ることにより遊技者が有しているパチンコ球の量を概略知ることもできるので、例えば大当たりでもないのにパチンコ球の量が急に増えたような状況を監視することができ、これによって不正行為を早期発見することも可能となる。
また、遊技者に対し上記のようなドリンクサービスを行うに際しても、この表示装置９の表示を参考にすることにより、多くの遊技者が遊技している区域などを重点的に巡回するなど適切なサービスを効率よく行えるようになる。
【００１２】
なお、上記表示装置９には、重量検知手段７により感知された遊技媒体貯留箱Ａの重量を数値で直接表示してもよく、或いは、その表示を一層見易くするためにその感知重量が例えば１ｋｇ以上になると該当する台番号の背景を黄色に発光させ、さらに６ｋｇ以上になるとこれを赤色に発光させるような色分け表示、或いは、段階的表示をすることも可能である。また、大当たりが発生した場合に各パチンコ遊技機から発信される大当たり情報がこの遊技媒体貯留箱Ａの情報と共に表示装置９に表示されるようにしてもよい。
【図面の簡単な説明】
【００１３】
【図１】本発明に係る遊技場の島台の正面図。
【図２】図１の島台のＡ−Ａ線断面図。
【図３】本発明に係る遊技媒体払出状況監視装置のブロック図。
【図４】本発明に係る遊技媒体払出状況監視装置の表示装置の表示例図。
【図５】本発明に係る遊技媒体払出状況監視装置のブロック図。
【図６】本発明に係る遊技媒体払出状況監視装置のブロック図。
【符号の説明】
【００１４】
１    パチンコ遊技機
２    島台
３    遊技媒体払出皿
３ａ  排出ボタン
５    水平テーブル面
６    台番号表示部
７    重量検知手段
８    出力信号線
９    表示装置
Ａ    遊技媒体貯留箱
【図１】
2010012118.tif 000003
【図２】
2010012118.tif 000004
【図３】
2010012118.tif 000005
【図４】
2010012118.tif 000006
【図５】
2010012118.tif 000007
【図６】
2010012118.tif 000008